(57)【要約】      （修正有）【課題】ＭＣＵの負荷を軽減しつつ、局部発振回路の発振周波数の所望の受信周波数からのずれを自動的に修正する。【解決手段】選局動作時、キャパシタバンク１０７およびバリキャップＶＲ１の調整に応じた発振周波数により、ＯＳＣ１０６が発振する。この際、ＩＦ信号の周波数が得られるとＡＦＣ動作が開始され、ゲート制御回路１２１は、発振制御回路１２２を介してクリスタル発振器１３１から供給されるクロックＣＫをカウントすることにより、選局情報などに応じたゲート時間を生成する。このゲート時間にしたがってゲート回路１０９を制御し、カウンタ回路１１０により擬似的に計測されたＯＳＣ１０６の発振周波数を、比較回路１１５により、規格値保持回路１１４で保持された規格値と比較する。ＯＳＣ１０６の発振周波数が規定の周波数範囲内にあると判定されると、その発振周波数を維持すべく、ＶＲ２制御回路１１７がバリキャップＶＲ２を微調整する。【選択図】図１
2010119023.tif 000002
【特許請求の範囲】
【請求項１】
受信状態にある送信信号の受信周波数に同調して発振する発振器と、
前記発振器の発振周波数を調整するための調整回路と、
前記発振器の発振周波数を計測する計測回路と、
前記計側回路の計測期間を制御するためのゲート時間を、クリスタル発振器より供給されるクロックを用いて発生する発生回路と、
前記発生回路で発生されたゲート時間に応じた計測期間内に、前記計測回路で計測された計測値を所望の規格値と比較し、前記発振周波数が規定の周波数範囲内にあるかを判定する比較・判定回路と、
前記比較・判定回路の結果にしたがって前記調整回路を制御する制御回路と
を具備したことを特徴とする受信機システム。
【請求項２】
さらに、前記送信信号を受信するための受信器、前記受信器で受信した前記送信信号を中間周波信号に変換する変換器、前記変換器の出力をもとに音声信号を生成するための生成回路を備えることを特徴とする請求項１に記載の受信機システム。
【請求項３】
さらに、設定値および基準値に応じて前記所望の規格値を決定するための演算回路と、前記所望の規格値を保持する保持回路とを備えることを特徴とする請求項１に記載の受信機システム。
【請求項４】
デジタルＡＦＣ（Ａｕｔｏｍａｔｉｃ  Ｆｒｅｑｕｅｎｃｙ  Ｃｏｎｔｒｏｌ）方式の周波数自動修正機能を備えた受信機システムであって、携帯端末に設けられることを特徴とする請求項１に記載の受信機システム。
【請求項５】
さらに、前記携帯端末の端末制御装置との間でのバス通信を制御するバスコントローラを備えることを特徴とする請求項４に記載の受信機システム。
【発明の詳細な説明】
【技術分野】
【０００１】
本発明は、受信機システムに関するもので、たとえば、局部発振回路（ＯＳＣ）の発振周波数の所望の受信周波数からのずれを自動的に修正できるようにした、デジタルＡＦＣ（Ａｕｔｏｍａｔｉｃ  Ｆｒｅｑｕｅｎｃｙ  Ｃｏｎｔｒｏｌ）方式の周波数自動修正機能を備えたチューナーシステムに関する。
【背景技術】
【０００２】
ＡＭまたはＦＭラジオ受信機などのチューナーシステムにおいては、局発、つまり所望の局の放送を安定に受信できるようにするために、専ら、ＰＬＬ（Ｐｈａｓｅ  Ｌｏｃｋｅｄ  Ｌｏｏｐ）方式と呼ばれる周波数自動修正機能が採用されてきた。また、近年では、この周波数自動修正機能のコストパフォーマンスを下げ、より安価なチューナーシステムの提供を可能にする、デジタルＡＦＣ方式と呼ばれる周波数自動修正機能の採用が主流になりつつある。
【０００３】
ところで、チューナーシステムにおいて、所望の局の放送を安定に受信できるようにするためには、受信局（所望の局からの送信信号の受信周波数）を維持する必要がある。そのために、上記した周波数自動修正機能が用意されている。すなわち、従来のチューナーシステムにおいては、ＯＳＣの発振周波数の所望の受信周波数からのずれを自動的に修正することにより、受信局の維持が実現されている。
【０００４】
しかしながら、デジタルＡＦＣ方式の周波数自動修正機能、特に、ＩＦ（Ｉｎｔｅｒｍｅｄｉａｔｅ  Ｆｒｅｑｕｅｎｃｙ）信号を監視するタイプのデジタルＡＦＣ方式の周波数自動修正機能にあっては、妨害信号を受信した場合に、ＯＳＣの発振周波数の所望の受信周波数からのずれを自動的に修正できなくなるという問題があった。すなわち、妨害信号を受信すると、ＩＦ信号の周波数を検出できなくなるため、その妨害信号の周波数に対するずれを自動的に修正すべく、ＯＳＣの発振周波数を調整するように周波数自動修正機能が働く。その結果、受信局を維持できなくなり、所望の局の放送を安定に受信できなくなる。そればかりか、妨害信号がなくなっても、ＯＳＣの発振周波数の所望の受信周波数からのずれを修正できず、妨害信号を受信するように、ＯＳＣの発振周波数が所望の受信周波数からずれたままになるという不具合が合った。
【０００５】
昨今、この問題を解決したチューナーシステムがすでに提案されている（たとえば、特許文献１参照）。このチューナーシステムでは、受信局を維持するために、直接、受信周波数（ＯＳＣの発振周波数）を計測するようにしている。ところが、受信周波数は周波数が高いため、精度のよい計測を実現するには、計測の際のゲート時間を精度よく制御する必要があった。特に、ゲート時間の制御を外部のコントローラ（マイクロコンピュータ）に依存する形式のチューナーシステムの場合、それが外部のコントローラの負荷を増大させる要因となっていた。
【特許文献１】特開２００８−６０７０６号公報
【発明の開示】
【発明が解決しようとする課題】
【０００６】
本発明は、上記の問題点を解決すべくなされたもので、外部のコントローラの負荷を軽減できるとともに、妨害信号に強く、安価で性能のよい受信機システムを提供することを目的としている。
【課題を解決するための手段】
【０００７】
本願発明の一態様によれば、受信状態にある送信信号の受信周波数に同調して発振する発振器と、前記発振器の発振周波数を調整するための調整回路と、前記発振器の発振周波数を計測する計測回路と、前記計側回路の計測期間を制御するためのゲート時間を、クリスタル発振器より供給されるクロックを用いて発生する発生回路と、前記発生回路で発生されたゲート時間に応じた計測期間内に、前記計測回路で計測された計測値を所望の規格値と比較し、前記発振周波数が規定の周波数範囲内にあるかを判定する比較・判定回路と、前記比較・判定回路の結果にしたがって前記調整回路を制御する制御回路とを具備したことを特徴とする受信機システムが提供される。
【発明の効果】
【０００８】
上記の構成により、外部のコントローラの負荷を軽減できるとともに、妨害信号に強く、安価で性能のよい受信機システムを提供できる。
【発明を実施するための最良の形態】
【０００９】
以下、本発明の実施の形態について図面を参照して説明する。ただし、図面は模式的なものであり、各図面の寸法や比率などは現実のものとは異なることに留意すべきである。また、図面の相互間においても、互いの寸法の関係や比率が異なる部分が含まれていることは勿論である。特に、以下に示すいくつかの実施の形態は、本発明の技術思想を具体化するための装置や方法を例示したものであって、構成部品の形状、構造、配置などによって、本発明の技術思想が特定されるものではない。この発明の技術的思想は、その要旨を逸脱しない範囲において、種々の変更を加えることができる。
【００１０】
［第１の実施形態］
図１は、本発明の第１の実施形態にしたがった、チューナーシステム（受信機システム）の基本構成を示すものである。なお、ここでは、携帯電話または音楽プレーヤーなどの携帯型の電子機器（携帯端末）に搭載される、デジタルＡＦＣ（Ａｕｔｏｍａｔｉｃ  Ｆｒｅｑｕｅｎｃｙ  Ｃｏｎｔｒｏｌ）方式の周波数自動修正機能を備えたＡＭ／ＦＭラジオ受信機を例に説明する。
【００１１】
図１において、ＭＣＵ（Ｍｉｃｒｏｃｏｍｐｕｔｅｒ  Ｃｏｎｔｒｏｌ  Ｕｎｉｔ）１０は、このＡＭ／ＦＭラジオ受信機１００が搭載される携帯端末に設けられた、外部コントローラとしての端末制御装置である。本実施形態の場合、ＡＭ／ＦＭラジオ受信機１００は、ＩＣ（Ｉｎｔｅｇｒａｔｅｄ  Ｃｉｒｃｕｉｔ）チップ化されており、バス通信ライン１１を介して、ＭＣＵ１０との間でバス通信を行うためのバスコントローラ（ＢＵＳ  Ｃｏｎｔｒｏｌ）１０１を備えている。
【００１２】
また、このＡＭ／ＦＭラジオ受信機１００には、アンテナ１０２、ミキサー１０３、ＩＦ（Ｉｎｔｅｒｍｅｄｉａｔｅ  Ｆｒｅｑｕｅｎｃｙ）回路１０４、信号処理回路１０５、局部発振回路（ＯＳＣ）１０６、粗調整用のキャパシタバンク（ＲＦ−ＶＣＯ１）１０７、微調整用のバリキャップ（ＲＦ−ＶＣＯ２）ＶＲ１、ＡＦＣ動作用のバリキャップ（ＲＦ−ＶＣＯ２）ＶＲ２、分周回路１０８、ゲート回路１０９、カウンタ回路１１０、Ｎ値記憶用バッファ回路１１１、規格幅設定値記憶用バッファ回路１１２、演算回路１１３、規格値保持回路１１４、比較回路１１５、判定回路１１６、ＶＲ２制御回路１１７、ゲート制御回路１２１、および、発振制御回路１２２などが設けられている。また、ＡＭ／ＦＭラジオ受信機１００の外部（携帯端末内）には、発振制御回路１２２によって発振動作が制御されるクリスタル（水晶）発振器（クリスタル発振による高精度のクロック発生器）１３１が用意されている。
【００１３】
アンテナ１０２は、所望の局からの放送（送信信号）を受信するためのものであり、ミキサー１０３は、アンテナ１０２で受信した送信信号とＯＳＣ１０６から出力される局部発振信号とを混合させて受信信号を生成するものである。たとえば、アンテナ１０２およびミキサー１０３によって受信器が構成されている。
【００１４】
ＩＦ回路１０４は変換器であり、ミキサー１０３の出力である受信信号を中間周波（ＩＦ）信号に変換するものである。
【００１５】
信号処理回路１０５は生成回路であり、ＩＦ信号の増幅、振幅制限およびＡＭ／ＦＭ検波などを行うとともに、たとえば、ＦＭ検波出力であるステレオコンポジット信号から左右（Ｌ，Ｒ）のステレオ音声出力（音声信号）を生成し、それをＬ，Ｒ端子より外部（図示していないスピーカー）に出力するものである。
【００１６】
ＯＳＣ１０６は局部発振信号を出力するためのもので、キャパシタバンク１０７の粗調整動作およびバリキャップＶＲ１，ＶＲ２の微調整動作に応じて、その発振周波数が変化するＬＣ発振器である。
【００１７】
キャパシタバンク１０７は、ＯＳＣ１０６の発振周波数を粗調整するための調整回路であって、たとえば、容量の異なる複数のコンデンサおよびコンデンサを選択するためのスイッチを有している。すなわち、このキャパシタバンク１０７は、ＯＳＣ１０６の発振周波数が所望の局の受信周波数に概ね合致（同調）するように、たとえば選局動作時に、バスコントローラ１０１より供給される調整信号に応じてコンデンサの容量が切り換えられる。
【００１８】
バリキャップＶＲ１，ＶＲ２は、それぞれ、ＯＳＣ１０６の発振周波数を微調整するための調整回路であって、たとえば８ビット分の、バリキャップダイオード、コンデンサおよび抵抗素子を有している。バリキャップＶＲ１は、ＯＳＣ１０６の発振周波数が所望の局の受信周波数に合致するように、たとえば選局動作時に、バスコントローラ１０１より供給される調整信号（抵抗素子に与えられる電流）に応じてコンデンサの見かけ上の容量が切り換えられる。バリキャップＶＲ２は、ＯＳＣ１０６の発振周波数が所望の局の受信周波数に合致するように、たとえば受信（聴取）動作の途中で、ＶＲ２制御回路１１７より供給される調整信号（抵抗素子に与えられる電流）に応じてコンデンサの見かけ上の容量が切り換えられる。バリキャップＶＲ１，ＶＲ２としては、別個に設けずに、１つのバリキャップを兼用するように構成することも可能である。
【００１９】
分周回路１０８は、後段のカウンタ回路１１０での計測動作速度などに応じて、ＯＳＣ１０６からの局部発振信号（発振周波数）を分周するものである。
【００２０】
ゲート回路１０９は、ゲート制御回路１２１より定期的または不定期的に出力される、カウンタ回路１１０での計測期間を正確に制御するための制御信号（ゲート時間）にしたがって、そのゲート時間に相当する計測期間（所定の計測期間）内のみ、カウンタ回路１１０に分周回路１０８からの分周出力を供給するものである。
【００２１】
カウンタ回路１１０は計測回路であって、ゲート回路１０９を介して供給される、ゲート時間に相当する計測期間内の分周出力をカウントすることにより、擬似的にＯＳＣ１０６の発振周波数を計測するものである。この計測値（周波数検出結果）は、バスコントローラ１０１および比較回路１１５に送られる。
【００２２】
バッファ回路１１１は、バスコントローラ１０１より与えられるＮ値（基準値）を記憶するためのもので、Ｎ値としては、ＩＦ信号の周波数（たとえば、ＦＭ局からの送信信号の場合で１１０ＫＨｚ、ＡＭ局からの送信信号の場合で４５ＫＨｚ）が検出された際の、ＯＳＣ１０６の発振周波数が与えられる。なお、本実施形態のように、Ｎ値がバスコントローラ１０１より与えられる場合、このバッファ回路１１１を省略することもできる。
【００２３】
バッファ回路１１２は、バスコントローラ１０１より与えられる規格幅設定値を記憶するためのもので、規格幅設定値としては、所望の局の受信周波数からのＯＳＣ１０６の発振周波数のずれの許容範囲（所望の規格値）を規格化するためのデータが与えられる。たとえば、所望の局の放送を安定に受信できる範囲の受信周波数に対して、ＯＳＣ１０６の発振周波数のずれが＋／−数％の場合、その数％というデータが規格幅設定値として与えられる。なお、本実施形態のように、規格幅設定値がバスコントローラ１０１より与えられる場合、このバッファ回路１１２を省略することもできる。
【００２４】
演算回路１１３は、バッファ回路１１１内のＮ値とバッファ回路１１２内の規格幅設定値とから、実際の規格値（ずれの許容範囲）を決定するためのものである。なお、所望の規格値をバスコントローラ１０１より直に与えることも可能であり、この演算回路１１３は必須の構成要件ではない。
【００２５】
規格値保持回路１１４は、演算回路１１３によって規格化された規格値を保持するものである。
【００２６】
比較回路１１５は、規格値保持回路１１４で保持されている規格値と、カウンタ回路１１０による計測値であるＯＳＣ１０６の発振周波数とを比較し、その比較結果を判定回路１１６に出力するものである。
【００２７】
判定回路１１６は、比較回路１１５からの比較結果をもとに、ＯＳＣ１０６の発振周波数が規格値に応じた規定の周波数範囲（ずれの許容範囲）内にあるか否かを判定するものである。
【００２８】
ＶＲ２制御回路１１７は、判定回路１１６での判定結果にしたがってバリキャップＶＲ２を制御するもので、たとえば、８ビットのアップ／ダウンカウンタにより構成されている。つまり、８ビットの調整信号により、バリキャップＶＲ２の抵抗素子に与えられる電流が制御される。なお、このＶＲ２制御回路１１７は、比較回路１１５での比較結果から、ＯＳＣ１０６の発振周波数がずれの許容範囲（８ビット）内にない場合、バスコントローラ１０１に対して、調整不能（オーバーフロー状態）を示す信号を返送するように構成されている。
【００２９】
ゲート制御回路１２１は、発振制御回路１２２を制御するとともに、その発振制御回路１２２からのクロックＣＫをカウントすることにより、バスコントローラ１０１を介して、ＭＣＵ１０から供給される選局情報などの制御信号（Ｃｏｎｔｒｏｌ）に応じた、ゲート回路１０９を制御するための制御信号（ゲート時間）を生成するものである。本実施形態の場合、たとえば、ＦＭ局の選局動作時において、キャパシタバンク１０７を粗調整する際にはゲート時間が２０ｍｓに、また、バリキャップＶＲ１を微調整する際にはゲート時間が１００ｍｓに、それぞれ設定される。また、たとえば、ＦＭ局の受信動作の途中（ＡＦＣ動作時）において、バリキャップＶＲ２を微調整する際にはゲート時間が１００ｍｓに設定される。なお、このゲート制御回路１２１は、ＡＦＣ動作に移行する際に、バスコントローラ１０１を介して、ＭＣＵ１０にビジー（ＢＵＺＹ）信号を出力することにより、ＭＣＵ１０とＡＭ／ＦＭラジオ受信機１００との間のバス通信を中止させるようになっている。
【００３０】
発振制御回路１２２は、ＡＭ／ＦＭラジオ受信機１００の外部に設けられたクリスタル発振器１３１を一定の周波数で発振させるもので、その発振により得られるクロックＣＫをゲート制御回路１２１に供給するようになっている。
【００３１】
バスコントローラ１０１は、ＭＣＵ１０とＡＭ／ＦＭラジオ受信機１００との間のバス通信を制御するもので、たとえば選局動作時に、ＭＣＵ１０より与えられる選局情報などに応じた、キャパシタバンク１０７およびバリキャップＶＲ１への調整信号、ゲート制御回路１２１への制御信号、バッファ回路１１１へのＮ値、および、バッファ回路１１２への規格幅設定値を出力するものである。また、このバスコントローラ１０１は、たとえばＡＦＣ動作に移行する際に、ゲート制御回路１２１からのビジー信号、カウンタ回路１１０より与えられる計測値（周波数検出結果）、および、ＶＲ２制御回路１１７より与えられるオーバーフロー状態信号を、バス通信ライン１１を介して、ＭＣＵ１０に出力するように構成されている。また、このバスコントローラ１０１は、たとえば選局動作時に、カウンタ回路１１０より与えられる周波数検出結果およびＶＲ２制御回路１１７より与えられるオーバーフロー状態信号にしたがって調整信号を生成し直し、キャパシタバンク１０７およびバリキャップＶＲ１に出力するようになっている。なお、このバスコントローラ１０１は、ＭＣＵ１０に対して、ＩＦ回路１０４からの出力（ＩＦ信号）、または、判定回路１１６からの出力（判定結果）などを供給するように構成することもできる。
【００３２】
ＭＣＵ１０は、図示せぬ携帯端末の制御のほか、ユーザの操作による、所望の局の放送を受信するための選局情報などに応じて、このＡＭ／ＦＭラジオ受信機１００を制御するものであって、たとえばＡＭ／ＦＭラジオ受信機１００にデジタルＡＦＣを動作状態へ移行させるための命令などを出力するように構成されている。なお、このＭＣＵ１０は、たとえば所定の制御信号を定期的に出力するための、クリスタル発振による高精度のクロック発生器（図示していない）を有している。
【００３３】
次に、上記した構成において、ＡＭ／ＦＭラジオ受信機１００の動作について説明する。なお、以下の説明は、あるＦＭ局の放送を受信する場合の例である。
【００３４】
まず、ユーザの操作によって、ＡＭ／ＦＭラジオ受信機１００のスイッチが投入されたことを示すモード選択情報、および、所望の局として、あるＦＭ局の放送を受信するための選局情報（受信周波数）などが入力されたとする（選局動作時）。すると、これを受けたＭＣＵ１０は、ＡＭ／ＦＭラジオ受信機１００を動作可能な状態（携帯端末の主な動作は待機状態）にするとともに、バス通信ライン１１を介して、ＡＭ／ＦＭラジオ受信機１００のバスコントローラ１０１にバス通信により選局情報などを送信する。
【００３５】
これに対し、バスコントローラ１０１では、ＭＣＵ１０からの選局情報などに対応した調整信号を求め、それをキャパシタバンク１０７およびバリキャップＶＲ１に出力する。これにより、キャパシタバンク１０７およびバリキャップＶＲ１において、その調整信号に応じた粗調動作および微調動作が行われる。また、バスコントローラ１０１は、ＭＣＵ１０からの選局情報などに応じた規格幅設定値を設定し、バッファ回路１１２に記憶させる。
【００３６】
キャパシタバンク１０７での粗調動作およびバリキャップＶＲ１での微調動作が行われることにより、ＯＳＣ１０６は、その粗調動作および微調動作に応じた発振周波数で発振動作し、ミキサー１０３および分周回路１０８に局部発振信号を出力する。ミキサー１０３では、ＯＳＣ１０６からの局部発信信号とアンテナ１０２により受信された送信信号とを混合し、受信信号を生成する。そして、その受信信号をＩＦ回路１０４に出力する。
【００３７】
ＩＦ回路１０４では、ミキサー１０３からの受信信号をＩＦ信号に変換し、信号処理回路１０５に出力する。このとき、ＩＦ信号の周波数（たとえば、１１０ＫＨｚ）が得られる場合には、選局動作は終了される。つまり、信号処理回路１０５において、ＩＦ信号の増幅、振幅制限およびＦＭ検波などが行われるとともに、ステレオ音声出力が生成されて、Ｌ，Ｒ端子よりスピーカーに出力されることによって、あるＦＭ局からの放送の受信（聴取）状態となる。
【００３８】
ＩＦ信号の周波数が得られると、この受信状態（受信局）を維持するために、たとえば、ＭＣＵ１０からバスコントローラ１０１に対して、デジタルＡＦＣを動作状態へ移行させる命令が出力される。この命令により、バスコントローラ１０１からは、ゲート制御回路１２１に選局情報などに応じた制御信号が出力される。すると、その制御信号を受け取ったゲート制御回路１２１からビジー信号が出力されることにより、これ以降、ＭＣＵ１０とバスコントローラ１０１との間のバス通信は、ＭＣＵ１０に新たなモード選択情報または選局情報などが入力されるまで中止される。
【００３９】
この状態においては、デジタルＡＦＣ方式の周波数自動修正機能が働き、ＯＳＣ１０６の発振周波数の、あるＦＭ局の放送を受信するための送信信号の受信周波数からのずれが、たとえば定期的にチェックされて、その受信周波数にＯＳＣ１０６の発振周波数が合致（同調）するように、バリキャップＶＲ２の調整が自動的に行われる（ＡＦＣ動作時）。すなわち、ＩＦ信号の周波数が得られる場合には、分周回路１０８で、ＯＳＣ１０６からの局部発振信号の発振周波数を分周する。また、ゲート制御回路１２１において、制御信号にしたがって、発振制御回路１２２を介してクリスタル発振器１３１から供給されるクロックＣＫをカウントすることにより、ＯＳＣ１０６の発振周波数を微調整するためのゲート時間（この例の場合、１００ｍｓ）を生成する。このゲート時間にしたがってゲート回路１０９を制御し、その期間（ゲート時間）内の分周出力をカウンタ回路１１０でカウントさせることによって、ＯＳＣ１０６の発振周波数を擬似的に計測する。そして、その計測値などにもとづいて、ＶＲ２制御回路１１７は調整信号を生成し、常に受信局を維持するように、バリキャップＶＲ２を制御する。また、バスコントローラ１０１は、ＩＦ信号の周波数が得られる場合の周波数検出出力に応じたＮ値を設定し、バッファ回路１１１に記憶させる。
【００４０】
より具体的には、本実施形態にかかるＡＦＣ動作は、以下のようにして行われる。まず、分周回路１０８で、ＯＳＣ１０６からの局部発振信号の発振周波数を分周する。そして、その分周出力を、ゲート回路１０９を介して、カウンタ回路１１０に出力する。これにより、カウンタ回路１１０は、ゲート時間に相当する期間、分周回路１０８からの分周出力をカウントすることによって、ＯＳＣ１０６の発振周波数を擬似的に計測する。このとき、ゲート制御回路１２１から供給される制御信号によってゲート回路１０９を制御することにより、カウンタ回路１１０での計測期間が正確に維持される。すなわち、クリスタル発振による高精度のクロックＣＫを用い、たとえば、受信局がＦＭ局であり、バリキャップＶＲ２の微調整動作の場合には、ゲート回路１０９のゲート時間を１００ｍｓに設定する。これにより、ＭＣＵ１０を用いずとも、ＯＳＣ１０６の発振周波数の正確な計測が可能となり、ゲート回路１０９の制御にかかるＭＣＵ１０の負荷（消費電力）を軽減できるようになる。
【００４１】
さらに、比較回路１１５において、カウンタ回路１１０からの計測値を、Ｎ値および規格幅設定値をもとに演算回路１１３にて規格化され、規格値保持回路１１４で保持された規格値と比較する。そして、その比較結果を、判定回路１１６に出力する。これにより、判定回路１１６では、比較回路１１５からの比較結果をもとに、ＯＳＣ１０６の発振周波数が規格値に応じた規定の周波数範囲（ずれの許容範囲）内にあるか否かを判定する。
【００４２】
判定回路１１６での判定の結果、ＯＳＣ１０６の発振周波数のずれが許容範囲内にある場合、ＶＲ２制御回路１１７は調整信号を生成し、常に受信局を維持するように、バリキャップＶＲ２を制御する。
【００４３】
このようにして、上記のＡＦＣ動作を定期的に繰り返することにより、常に受信局を維持させることが可能となる。すなわち、デジタルＡＦＣ方式の周波数自動修正機能において、ＯＳＣ１０６の発振周波数の所望の受信周波数からのずれに応じてバリキャップＶＲ２を微調整するようにしたことにより、結果として、ＩＦ信号の周波数によらず、受信局を維持できるようになる。したがって、たとえ妨害信号を受信した場合にも、受信局を維持できなくなり、所望の局の放送を安定に受信できなくなったり、ＯＳＣの発振周波数が所望の受信周波数からずれたままになるという不具合を解決できる。
【００４４】
しかも、ＯＳＣ１０６の発振周波数を計測する際のゲート時間を、ＭＣＵ１０の制御によらず、ゲート制御回路１２１により、クリスタル発振による高精度のクロックＣＫを用いて設定するようにしているため、カウンタ回路１１０での計測期間を正確に維持しつつ、ＭＣＵ１０にかかる負荷（消費電力）の軽減が可能となるものである。
【００４５】
なお、判定回路１１６での判定の結果、ＯＳＣ１０６の発振周波数のずれが許容範囲内にない場合、ＶＲ２制御回路１１７は、バスコントローラ１０１にオーバーフロー状態信号を出力する。
【００４６】
すると、バスコントローラ１０１は、ＯＳＣ１０６の発振周波数のずれが許容範囲内となるように、キャパシタバンク１０７およびバリキャップＶＲ１を制御する調整信号を生成し直す。この場合、バスコントローラ１０１は、ゲート制御回路１２１に制御信号を出し、ゲート制御回路１２１により、たとえば、受信局がＦＭ局であり、キャパシタバンク１０７を粗調整動作させる場合の、ゲート回路１０９のゲート時間として２０ｍｓを設定させる。また、ゲート制御回路１２１により、たとえば、受信局がＦＭ局であり、バリキャップＶＲ１を微調整動作させる場合の、ゲート回路１０９のゲート時間として１００ｍｓを設定させる。
【００４７】
そして、それぞれのゲート時間に応じた計測期間内の分周出力をカウンタ回路１１０で計測した際の計測値にもとづいて、バスコントローラ１０１は調整信号を生成し直し、キャパシタバンク１０７およびバリキャップＶＲ１に再供給する。
【００４８】
このようにして、ＩＦ信号の周波数が得られるまで、上記の選局動作を繰り返することにより、最終的には、ＯＳＣ１０６の発振周波数を所望のＦＭ局の受信周波数に合致させることが可能となる。
【００４９】
以降は、デジタルＡＦＣ方式の周波数自動修正機能によって、常に受信局を維持できるように、上述したＡＦＣ動作が行われる。
【００５０】
なお、上述した選局動作を繰り返しても、判定回路１１６での判定の結果として、ＯＳＣ１０６の発振周波数のずれが許容範囲内にない場合には、バスコントローラ１０１によって、再度、Ｎ値または規格幅設定値の設定をやり直すことも有効である。
【００５１】
上記したように、ＯＳＣの発振周波数の所望の受信周波数からのずれに応じて、ＯＳＣの発振周波数を自動的に修正する際の、ＯＳＣの発振周波数を計測するためのゲート時間を、ＭＣＵの制御によらず、内蔵するゲート制御回路により、クリスタル発振による高精度のクロックＣＫを用いて設定するようにしている。すなわち、ＯＳＣの発振周波数を計測するカウンタ回路の計測期間を、ＭＣＵとは別の、クリスタル発振による高精度のクロックＣＫをもとに制御するようにしている。これにより、デジタルＡＦＣ方式の周波数自動修正機能を備えたＡＭ／ＦＭラジオ受信機において、カウンタ回路での計測期間を正確に維持しつつ、ＭＣＵにかかる負荷を軽減できるようになる。したがって、たとえ妨害信号を受信した場合にも、ＯＳＣの発振周波数の所望の受信周波数からのずれを自動的に修正できるようになるなど、妨害信号に強く、かつ、ＭＣＵの低消費電力化が可能となるため、安価で性能のよいＡＭ／ＦＭラジオ受信機とすることができる。
【００５２】
特に、受信状態においては、ＭＣＵとの間でのバス通信を不要とすることができるため、受信局を維持するための動作において、バス通信によるノイズの影響を受けることもない。
【００５３】
なお、上記した第１の実施形態においては、ＡＭ／ＦＭラジオ受信機に適用した場合を例に説明したが、これに限らず、ＦＭラジオ受信機またはＡＭラジオ受信機にも同様に適用できる。
【００５４】
ＡＭラジオ受信機とした場合、たとえば４５ＫＨｚ（ＩＦ信号の周波数）が検出された際の、ＯＳＣの発振周波数がＮ値として与えられる。また、所望のＡＭ局の放送を受信する際には、制御信号に応じて、キャパシタバンク１０７を粗調整動作させる場合と、バリキャップＶＲ１を微調整動作させる場合と、バリキャップＶＲ２を微調整動作させる場合とで、それぞれ、最適なゲート時間が設定される。
【００５５】
また、ＦＭラジオ受信機およびＡＭラジオ受信機においては、外部（携帯端末側）のＭＣＵによって制御されるものに限らず、たとえば、専用のコントローラを内蔵するタイプのものであってもよい。
【００５６】
また、携帯電話に限らず、各種の携帯型の電子機器に用いて好適である。
【００５７】
その他、本願発明は、上記（各）実施形態に限定されるものではなく、実施段階ではその要旨を逸脱しない範囲で種々に変形することが可能である。さらに、上記（各）実施形態には種々の段階の発明が含まれており、開示される複数の構成要件における適宜な組み合わせにより種々の発明が抽出され得る。たとえば、（各）実施形態に示される全構成要件からいくつかの構成要件が削除されても、発明が解決しようとする課題の欄で述べた課題（の少なくとも１つ）が解決でき、発明の効果の欄で述べられている効果（の少なくとも１つ）が得られる場合には、その構成要件が削除された構成が発明として抽出され得る。
【図面の簡単な説明】
【００５８】
【図１】本発明の第１の実施形態にしたがった、受信機システム（ＡＭ／ＦＭラジオ受信機）の構成例を示す回路ブロック図。
【符号の説明】
【００５９】
１０…ＭＣＵ、１００…ＡＭ／ＦＭラジオ受信機、１０１…バスコントローラ、１０３…ミキサー、１０４…ＩＦ回路、１０５…信号処理回路、１０６…ＯＳＣ、１０７…キャパシタバンク、１０８…分周回路、１１０…カウンタ回路、１１５…比較回路、１１６…判定回路、１１７…ＶＲ２制御回路、１２１…ゲート制御回路、１２２…発振制御回路、１３１…クリスタル発振器、ＶＲ１，ＶＲ２…バリキャップ。
【図１】
2010119023.tif 000003